【手続補正書】
【提出日】令和2年5月19日(2020.5.19)
【手続補正１】
【補正対象書類名】明細書
【補正対象項目名】００１５
【補正方法】変更
【補正の内容】
【００１５】
＜＜第一の実施形態＞＞
本実施形態のＭＲＩ装置は、図１に示すように、撮像条件受付部１０と、計測部２０と、定量値演算部４０と、撮像パラメータセット生成部３０と、を備える。
【手続補正２】
【補正対象書類名】明細書
【補正対象項目名】００２２
【補正方法】変更
【補正の内容】
【００２２】
また、ＭＲＩ装置１００は、静磁場均一度を調節する必要があるときには、シムコイル１１３と、シムコイル１１３を駆動するシム電源１１４をさらに備えてもよい。シムコイル１１３は、複数のチャネルからなり、シム電源１１４から供給される電流により静磁場不均一を補正する付加的な磁場を発生する。静磁場均一度調整時にシムコイル１１３を構成する各チャネルに流す電流は、シーケンサ１０４により制御される。
【手続補正３】
【補正対象書類名】明細書
【補正対象項目名】００２４
【補正方法】変更
【補正の内容】
【００２４】
計算機１１０は、ＣＰＵとメモリとを備え、受信した信号を処理する演算部として機能するとともに、ＭＲＩ装置１００全体の動作の制御等を行う制御部としても機能する。本実施形態では、演算部として、上述した画像再構成の他に、図１に示す定量値演算部４０及び撮像パラメータセット生成部３０の処理を行う。但し、定量値演算部４０及び撮像パラメータセット生成部３０の機能を、撮像を行うＭＲＩ装置とは別の計算機が実現する場合もある。
【手続補正４】
【補正対象書類名】明細書
【補正対象項目名】００２８
【補正方法】変更
【補正の内容】
【００２８】
定量値撮像では、複数の異なる撮像パラメータセットを用いて同一のパルスシーケンス（ＲＦ―ｓｐｏｉｌｅｄ ＧＲＡＳＳシーケンス）を実行する。本実施形態のＭＲＩ装置では、撮像パラメータセットとして、少なくとも繰り返し時間およびフリップ角の値の組み合わせが異なるものを用いる。計算機１１０（撮像パラメータセット生成部３０）は、入力装置１１６を介してユーザーが設定した撮像条件や検査対象に関する情報をもとに、最適な撮像パラメータセットの組み合わせを計算する。シーケンサ１０４は計算機１１０が算出した撮像パラメータセットの組み合わせを用いて、上述したパルスシーケンスによる複数の計測を行うよう、ＭＲＩ装置の各部を制御する。
【手続補正５】
【補正対象書類名】明細書
【補正対象項目名】００３１
【補正方法】変更
【補正の内容】
【００３１】
これら計算機１１０の機能は、主としてＣＰＵに組み込まれたプログラムにより達成される。また定量値演算の一部或いは全部は、ＡＳＩＣやＦＰＧＡなどのハードウェアによって実現する場合もある。
【手続補正６】
【補正対象書類名】明細書
【補正対象項目名】００３３
【補正方法】変更
【補正の内容】
【００３３】
次に、撮像パラメータセット生成部４３０において、ステップＳ５０１で受け付けた撮像対象に基づき、撮像対象における定量値情報を設定する（ステップＳ５０３）。さらに、撮像パラメータセット生成部４３０において、ステップＳ５０２で指定した制約条件が時間に関するものか精度に関するものかを判別する（ステップＳ５０４）。ステップＳ５０４において、時間に関する制約を受け付けたと判断した場合、撮像パラメータセット生成部４３０は、指定された時間制約を満たしながら定量値推定誤差が最小となる、少なくとも繰返し時間およびフリップ角の組合せが異なる少なくとも３つ以上の撮像パラメータセットを誤差伝播法にて算出する（ステップＳ５０５）。あるいは、ステップＳ５０４において精度に関する制約を受け付けたと判断した場合、撮像パラメータセット生成部４３０は、指定された精度制約を満たしながら撮像時間が最小となる、少なくとも繰返し時間およびフリップ角の組合せが異なる少なくとも３つ以上の撮像パラメータセットを誤差伝播法にて算出する（ステップＳ５０６）。
【手続補正７】
【補正対象書類名】明細書
【補正対象項目名】００４３
【補正方法】変更
【補正の内容】
【００４３】
【数２】
2019083992.tif 000001
ここで、▽ｆは勾配ベクトル、▽２ｆはヘシアン行列であり、それぞれ、式（３）、式（４）で表わされる。
【手続補正８】
【補正対象書類名】明細書
【補正対象項目名】００５７
【補正方法】変更
【補正の内容】
【００５７】
＜変形例２＞
第二の実施形態では、少なくともＴＲとＦＡの組合せが異なるパラメータを抽出することを説明したが、本変形では、ＲＦパルスの位相増分θを固定値とし且つその値を１１７度とは異なる角度に調整する。
【手続補正９】
【補正対象書類名】明細書
【補正対象項目名】００６５
【補正方法】変更
【補正の内容】
【００６５】
この場合、撮像パラメータセット生成装置９００は、図９に示すように、ＭＲＩ装置１００の撮像条件受付部１０が受け付けた撮像条件を受け付ける受付部９１０と、撮像パラメータセット生成部９３０とを備える。受付部９１０は、撮像パラメータセット生成装置９００がＭＲＩ装置１００とネットワークで接続可能な装置であれば、ネットワークを介して、或いは通信手段や可搬媒体等を介して、所定の撮像対象について撮像を行うＭＲＩ装置の撮像条件受付部１０が受け付けた撮像条件を受け付ける。撮像パラメータセット生成部９３０は、撮像条件をユーザーが入力する入力装置を備えていてもよい。
【手続補正１０】
【補正対象書類名】明細書
【補正対象項目名】００６７
【補正方法】変更
【補正の内容】
【００６７】
撮像対象を受け付けるステップ（Ｓ５０１）、撮像時間または定量値の推定精度に関する制約条件を受け付けるステップ（Ｓ５０２）、受け付けた撮像対象に基づき、撮像対象における定量値情報（定量値の標準値）を設定するステップ（Ｓ５０３）、指定した制約条件が時間に関するものか精度に関するものかを判定するステップ（Ｓ５０４）、時間に関する制約を受け付けたと判定した場合、定量値の標準値を用いて、指定された時間制約を満たしながら定量値推定誤差が最小となる、少なくとも繰返し時間およびフリップ角の組合せが異なる少なくとも３つ以上の撮像パラメータセットを誤差伝播法にて算出するステップ（Ｓ５０５）、精度に関する制約を受け付けたと判定した場合、指定された精度制約を満たしながら撮像時間が最小となる、少なくとも繰返し時間およびフリップ角の組合せが異なる少なくとも３つ以上の撮像パラメータセットを誤差伝播法にて算出するステップ（Ｓ５０６）。
【手続補正１１】
【補正対象書類名】明細書
【補正対象項目名】００６８
【補正方法】変更
【補正の内容】
【００６８】
ステップＳ５０５の処理は、図７（Ａ）に示すように、例えば、時間に関する制約のもとで、即ち時間に関する指標を用いて、複数の撮像パラメータセットの組み合わせ候補を作成するステップＳ５０５１を含むことができる。或いは、予め組み合わせ候補をデータベース化しておくことも可能であり、その場合には、ステップＳ５０１ではデータベース化した候補から、例えば最適化手法の対象となる撮像パラメータセットの組み合わせを選択してもよい。またステップＳ５０５の処理は、Ｓ５０５１で作成した組み合わせ候補について、定量値の標準値を用いて相対誤差を計算するステップ（Ｓ５０５２）、及び、誤差伝搬法により誤差が最小となる撮像パラメータセットの組み合わせを決定するステップ（Ｓ５０５３）を含むことができる。
【手続補正１２】
【補正対象書類名】明細書
【補正対象項目名】００７２
【補正方法】変更
【補正の内容】
【００７２】
１０：撮像条件受付部、２０：計測部、３０：撮像パラメータセット生成部、４０：定量値演算部、１００：ＭＲＩ装置、１０１：マグネット、１０２：傾斜磁場コイル、１０３：被検体（生体）、１０４：シーケンサ、１０５：傾斜磁場電源、１０６：高周波磁場発生器、１０７：ＲＦコイル、１０８：ＲＦプローブ、１０９：受信器、１１０：計算機、１１１：表示装置、１１２：記憶装置、１１３：シムコイル、１１４：シム電源、１１５：寝台（テーブル）、１１６：入力装置、４１０：撮像条件受付部、４１１：対象受付部、４１２：制約条件受付部、４２０：計測制御部、４３０：撮像パラメータセット生成部、４４０：定量値演算部、４５０：表示制御部、９００：撮像パラメータセット生成装置、９１０：受付部、９３０：撮像パラメータセット生成部、９４０：定量値演算部